(57)【要約】【課題】  従来の点滴報知装置や点滴監視装置は、点滴終了または液滴の停止等を監視して報知するものであり、患者等による点滴針の抜針、点滴用チューブの取り外し等による点滴中の異常を監視して報知する装置はなかった。【解決手段】  点滴部位の近傍に巻着して点滴用チューブを保持するベルトに、該ベルトが外れた時または該ベルトに取り付けられた点滴用チューブを挟持するホルダーが外れた時に作動するセンサが設けられた保持帯と、前記センサからの信号を受信して点滴に異常があることを離れた場所に報知するコンソールと、前記センサからの信号を有線または無線でコンソールに送信する信号送信手段より構成されている点滴異常報知装置である。また、前記コンソールに点滴所要時間を任意に設定することができる時間設定手段が設けられている。【選択図】          図１
2011183140.tif 000002
【特許請求の範囲】
【請求項１】
点滴部位の近傍に巻着して点滴用チューブを保持するベルトに、該ベルトが外れた時または該ベルトに取り付けられた点滴用チューブを挟持するホルダーが外れた時に作動するセンサが設けられた保持帯と、前記センサからの信号を受信して点滴に異常があることを報知するコンソールより構成されていることを特徴とする点滴異常報知装置。
【請求項２】
前記保持帯に設けられたセンサからの信号を、前記コンソールに設けられた受信器に送信する信号送信手段は、有線送信または無線送信のいずれかであることを特徴とする請求項１に記載の点滴異常報知装置。
【請求項３】
前記保持帯は、保持帯の展開形状での長手方向の両端部に、互いに着脱可能な係止手段が設けられているとともに、一端部にはリードスイッチが、他端部にはマグネットが設けられており、ベルトが外れた時に作動するセンサが構成されていることを特徴とする請求項１または２に記載の点滴異常報知装置。
【請求項４】
前記保持帯は、ベルトの表面に、点滴用チューブを挟持するホルダーと該ホルダーを着脱自在に保持するベース基板が取付けられており、前記ホルダーはベース基板との接触面が強磁性体であり、その上部に点滴用チューブを着脱自在に挟持するクリップ機構が形成されており、前記ベース基板には、前記ホルダーを着脱自在に保持する磁石とタクティールスイッチが設けられており、前記ホルダーがベース基板から外れた時に作動するセンサが構成されていることを特徴とする請求項１または２に記載の点滴異常報知装置。
【請求項５】
前記保持帯の裏面側における、身体に接触する部分には、刺激性の少ない布状部材が設けられていることを特徴とする請求項１〜４のいずれかに記載の点滴異常報知装置。
【請求項６】
前記係止手段が、面ファスナ、ボタン、ホックあるいは紐状体のいずれかであることを特徴とする請求項３に記載の点滴異常報知装置。
【請求項７】
前記コンソールは、シーケンス制御をする制御部と、センサの作動による信号を受信する受信器と、信号を受信したときに点滴に異常が生じたと判断して報知する報知器と、信号を受信したときに点滴に異常が生じたと判断して報知信号を発信する送信器より構成されており、前記送信器は有線送信または無線送信で報知信号を送信する機能を有していることを特徴とする請求項１または２に記載の点滴異常報知装置。
【請求項８】
前記コンソールには、点滴所要時間を任意に設定する時間設定手段が設けられており、前記時間設定手段は、設定された時間がデジタル数字で表示され、スタートボタンを押すとタイマーが作動してデジタル数字をカウントダウンし、設定された時間が終了すると、終了したことを報知する報知信号を送信することを特徴とする請求項７に記載の点滴異常報知装置。
【請求項９】
前記コンソールには、報知信号をナース信号と切替変換する中継器が設けられていることを特徴とする請求項１、２、７または８に記載の点滴異常報知装置。
【請求項１０】
前記コンソールには、一時的に報知信号の発信を停止するスイッチが設けられていることを特徴とする請求項１、２、７、８または９に記載の点滴異常報知装置。
【発明の詳細な説明】
【技術分野】
【０００１】
本発明は、病院等の医療施設で患者に点滴を行う場合において、点滴針が抜けたり点滴用チューブが外れたりしたときに、点滴が異常であるとして離れた場所に点滴異常を報知する点滴異常報知装置に関するものである。
【背景技術】
【０００２】
従来、病院等の医療施設で患者に点滴を行う場合には、輸液スタンド上部のアームに輸液バッグや輸液ボトルを吊下し、該輸液バッグや輸液ボトルの底部にあるゴム栓にチャンバーを係着したチューブを挿着し、さらに、該チャンバーを中継した点滴用チューブの先端にある点滴針を患者の体内に挿入することにより行われている。このような点滴治療においては、点滴の終了や異常を報知する手段は人に委ねられており、患者や介助者等がナースコールスイッチを押して医者や看護師（以下、看護師等という）に知らせるか、看護師等が点滴の進捗状況や点滴異常の有無を確認するために、点滴中の患者のところに巡回していた。
【０００３】
通常、患者は点滴中の身体移動について抑制を強いられるため、個人差はあるが、ある程度の精神的、身体的な負担を強いられる。ところが、点滴治療を受ける患者は様々であり、例えば、重度及び軽度の意識障害者、認知症患者または点滴器具や使用方法について理解不足の患者が存在し、これらの患者は点滴中に点滴針の抜針や点滴用チューブを取り外すおそれがある。このように、点滴治療は患者への負担だけでなく、看護師等にも相当の精神的、身体的負担が掛かかっている現状にあり、点滴の終了や点滴の異常を自動化する装置の開発が望まれていた。
【０００４】
点滴終了を報知する装置として、本出願人は、使用前の点滴容器を装置に吊下げて、該点滴容器の重量を前記装置で自動的に測定すると共に、該重量を基に点滴終了予告時の重量を前記装置により自動的に演算して、これを基準重量とし、その後も前記装置で点滴容器の重量測定を継続すると同時に該測定した重量と前記基準重量を比較演算し、点滴施療により点滴容器の重量が減量して前記基準重量になったときに点滴の残量が終りに近いと定めて、前記装置から自動的に点滴終了予告信号を出力して報知する、点滴施療時の点滴終了報知装置を開発している（例えば、特許文献１参照。）。
【０００５】
また、点滴終了や点滴異常を監視するものとして、チャンバー内を落下する薬液の滴検出を行うための滴検出器と、該滴の落下周期を計測して点滴量の設定値を演算表示すると共に点滴の異常や終了信号を出力するための滴数表示器と、該異常や終了信号と既存のナースコールスイッチからの信号をＯＲ接続して新規のナースコール信号とするための信号中継ボックスとにより構成した点滴監視装置が開示されている（例えば、特許文献２参照。）。
【０００６】
また、点滴終了を監視するものとして、薬液の残量レベルを検出するレベルセンサを装備し、且つ薬液容器の栓体を突き通すこができる薬液レベル検出針と、該薬液レベル検出針から導出されるレベル検出信号を基に警報信号を発生させる警報信号発生手段と、該警報信号をナースセンターへ伝達する信号伝達手段とを具えた点滴警報装置が開示されている（例えば、特許文献３参照。）。
【先行技術文献】
【特許文献】
【０００７】
【特許文献１】特開２００５−２２４４１８号公報
【特許文献２】特開２００１−２５９０２６号公報
【特許文献３】特開平０６−１２５９８７号公報
【発明の概要】
【発明が解決しようとする課題】
【０００８】
しかしながら、上記従来の点滴報知装置や点滴監視装置は、点滴終了または液滴の停止等を監視して報知するものであり、患者等による点滴針の抜針、点滴用チューブの取り外し等による点滴中の異常を監視して報知する装置はなかった。そこで、本発明は、このような看護師など医療関係者の精神的・身体的負担を軽減するために、患者等による点滴針の抜針、点滴用チューブの取り外し等による点滴中の異常を監視して報知する点滴異常報知装置を提供することを目的としている。
【課題を解決するための手段】
【０００９】
本発明の請求項１は、保持帯とコンソールとより構成されている点滴異常報知装置である。前記保持帯は、点滴用チューブの先端部に取り付けられた点滴針を、手や足の部位に挿入する際に、部位の近傍に巻着して点滴用チューブを保持するベルトに、該ベルトが外れた時または該ベルトに取り付けられた点滴用チューブを挟持するホルダーが外れた時に作動するセンサが設けられている。前記コンソールは、前記センサからの信号を受信すると点滴に異常があるとして報知する制御機器である。
【００１０】
これによれば、患者に対して点滴治療をしている間、看護師等は点滴中の患者のみに集中することなく、様々な看護業務を行なうことができる。そして、点滴異常報知装置から点滴異常の報知を受ければ、速やかに特定患者のもとに駆けつけることができるので、点滴治療の事故を未然に防止することができる。
【００１１】
本発明の請求項２は、前記保持帯に設けられたセンサからの信号を、前記コンソールに設けられた受信器に送信する信号送信手段が、有線送信または無線送信のいずれかである点滴異常報知装置である。有線送信では、保持帯に設けられたセンサと、コンソールに設けられた受信器とを接続ケーブルで連結することにより信号を送信している。また、無線送信では、保持帯に設けられたセンサの送信回路を通じて信号が無線送信され、コンソールに設けられた無線受信器で前記信号を受信している。
【００１２】
有線送信では保持帯とコンソール間の取り付け距離が接続ケーブルの長さにより制約を受けるだけでなく、保持帯を患者の手足に巻着するときに接続ケーブルの取扱が煩雑になることがある。一方、無線送信は、保持帯とコンソールとの取付位置関係を意識することなく設置できるだけでなく、保持帯を患者の手足に容易に巻着することができる。
【００１３】
本発明の請求項３は、前記保持帯は、保持帯の展開形状での長手方向の両端部に、互いに着脱可能な係止手段が設けられているとともに、一端部にはリードスイッチが、他端部にはマグネットが設けられており、ベルトが外れた時に作動するセンサが構成されていることを特徴とする点滴異常報知装置である。
【００１４】
患者の腕部または足部に保持帯のベルト部分を巻着すると、ベルトの一端部に設けられたリードスイッチと、ベルトの他端部に設けられたマグネットが近接してリードスイッチが閉（ＯＮ）状態となる。患者等が、腕部または足部に巻着されている保持帯を取り外そうとしてベルトの端部を引き剥がすと、ベルトに設けられたリードスイッチとマグネット間の距離が離れるのでリードスイッチが開（ＯＦＦ）となり信号を発信する。この信号はコンソールにより点滴異常として報知されるので、看護師等は速やかに特定患者のもとに駆けつけることができるので、点滴治療の事故を未然に防止することができる。
【００１５】
本発明の請求項４は、前記保持帯は、ベルトの表面に、点滴用チューブを挟持するホルダーと該ホルダーを着脱自在に保持するベース基板が取付けられており、前記ホルダーはベース基板との接触面が強磁性体であり、その上部に点滴用チューブを着脱自在に挟持するクリップ機構が形成されており、前記ベース基板には、前記ホルダーを着脱自在に保持する磁石とタクティールスイッチが設けられており、前記ホルダーがベース基板から外れた時に作動するセンサが構成されていることを特徴とする点滴異常報知装置である。
【００１６】
保持帯のベルトの表面に設けられたベース基板に点滴用チューブを挟持するホルダーを取付けると、前記ホルダーの下面部に設けられた強磁性体がベース基板に設けられた磁石と接触または近接して一時的に固定されるとともに、前記強磁性体の下面部がタクティールスイッチの頭部を押圧してタクティールスイッチが閉（ＯＮ）状態となる。患者等が、腕部または足部に挿入されている点滴針や点滴用チューブを取り外そうとして手等で（所定引張応力以上で）引っ張ると、ベース基板に磁石で固定されているホルダーが外れる。この時、タクティールスイッチと強磁性体との距離が離れることにより前記タクティールスイッチが開（ＯＦＦ）となり信号を発信する。この信号はコンソールにより点滴異常として報知されるので、看護師等は速やかに特定患者のもとに駆けつけることができるため、点滴治療の事故を未然に防止することができる。
【００１７】
本発明の請求項５は、前記保持帯のベルトの裏面側における身体に接触する部分には、刺激性の少ない布状部材が設けられていることを特徴とする点滴異常報知装置である。人体の皮膚はデリケートであり、手部や足部にベルトを巻着した状態が続くと、患者によっては圧迫感や、皮膚に炎症を起こすおそれがある。そこで、身体に接触する部分には、刺激性の少ない布状部材を設けることにより、患者による圧迫感の低減、皮膚に炎症を起こすことを防止することができる。
【００１８】
本発明の請求項６は、前記係止手段が、面ファスナ、ボタン、ホックあるいは紐状体のいずれかであることを特徴とする点滴異常報知装置である。患者の手足にベルトを装着する場合は、容易に、迅速かつ確実に装着することが望まれる。そこで、面ファスナを用いることが最も望ましいが、ボタン、ホックあるいは紐状体を用いても十分に効果を発揮することができる。これにより、装着作業を迅速かつ確実に行なえるので、患者の不安や負担を軽減することができる。
【００１９】
本発明の請求項７は、前記コンソールは、シーケンス制御をする制御部と、センサの作動による信号を受信する受信器と、信号を受信したときに点滴に異常が生じたと判断して報知する報知器と、信号を受信したときに点滴に異常が生じたと判断して報知信号を発信する送信器より構成されており、前記送信器は有線送信または無線送信で報知信号を送信する機能を有していることを特徴とする点滴異常報知装置である。
【００２０】
点滴異常の報知手段として、コンソールに設けられた報知器により、コンソールに取付けられたランプの点灯、音、音声または音楽による報知が行なわれる。また、コンソールに設けられた送信器により無線送信または有線送信で報知される。無線による報知は、送信器から無線発信された報知信号は看護師等が携帯する各種受信器で受信することができる。有線による報知は、既設または新設のナースコール端子に接続することにより、ナースセンターに設けられた報知器または専用受信器で受信することができる。これにより、看護師等は速やかに特定患者のもとに駆けつけることができるので、点滴治療の事故を未然に防止することができる。
【００２１】
本発明の請求項８は、前記コンソールに点滴所要時間を任意に設定することができる時間設定手段が設けられている。この時間設定手段では、３桁のデジタル数字を任意に設定することが可能であり、スタートボタンを押すとタイマーが作動してデジタル数字をカウントダウンし、ストップボタンを押すとカウントダウンを一時停止する。また、設定された時間が終了すると、終了したことを離間した場所に報知する報知信号を送信することを特徴とする点滴異常報知装置である。これにより、患者に点滴する輪液量、種類または点滴条件に合せて、最適な点滴所要時間を任意に設定することが可能となるので、看護師等は巡回点検等の負担を軽減することができる。
【００２２】
本発明の請求項９は、前記コンソールには、報知信号をナース信号と切替変換する中継器が設けられていることを特徴とする点滴異常報知装置である。これによれば、既設のナースコールケーブルのスイッチを押すことにより、ナースセンターに設けられた報知器等で受信することができる。これにより、患者等や看護師等の利便性が向上するだけでなく、看護師等は速やかに特定患者のもとに駆けつけることができるので、点滴治療の事故を未然に防止することができる。
【００２３】
本発明の請求項１０は、前記コンソールには、一時的に報知信号の発信を停止するポーズスイッチが設けられていることを特徴とする点滴異常報知装置である。この構成によれば、保持帯のベルトを患者の手足に脱着する際に、ポーズスイッチを押すと報知信号の発信を一時停止し、再度ポーズスイッチを押すと報知信号の発信が可能となる。また、タイマー式の場合はポーズスイッチを押すと設定した時間（例えば、１分間）は報知信号の発信を停止し、その後自動的に報知信号を発信する状態に復帰する。これによれば、誤作動による点滴異常報知を防止することができる。
【発明の効果】
【００２４】
本発明によれば、患者に対して点滴治療をしている間、看護師等は点滴中の患者のみに集中することなく、様々な看護業務を行なうことができる。そして、点滴異常報知装置から点滴異常の報知を受ければ、速やかに特定患者のもとに駆けつけることができるので、点滴治療の事故を未然に防止することができる。また、点滴所要時間を任意に設定できる時間設定手段が設けられているので、看護師等は巡回点検等の負担を軽減することができる。また、センサからの信号をコンソールに無線送信する構成とすれば、保持帯とコンソールとの取付位置関係を意識することなく設置できるだけでなく、保持帯を患者の手足部に容易に巻着することができる。
【００２５】
また、身体に接触するベルト部分には、刺激性の少ない布状部材が設けられているので、患者の圧迫感の軽減や皮膚の炎症を防止することができる。また、ベルトの巻着は面ファスナ、ボタン、ホックあるいは紐状体とすることにより、脱着作業を迅速かつ確実に行なえるので、患者の負担を軽減することができる。さらに、ポーズスイッチを設けているので、誤作動による点滴異常報知を防止することができる。
【図面の簡単な説明】
【００２６】
【図１】本発明の第一実施形態を示す点滴異常報知装置の斜視図である。
【図２】本発明の第一実施形態の他の実施例を示す点滴異常報知装置の斜視図である。
【図３】本発明のホルダーの平面図である。
【図４】本発明のホルダーとベース基板との磁着状態を示す側面断面図である。
【図５】本発明のベース基板とベルトの取付状態を示す説明図である。
【図６】本発明の他の実施例を示すホルダーとベース基板との磁着状態を示す側面断面図である。
【図７】本発明の他の実施例を示す無線送信器の結線図である。
【図８】本発明の第一実施形態を示す点滴異常報知装置のシステム構成図である。
【図９】本発明の中継器の結線図である。
【図１０】本発明の第一実施形態を示す点滴異常報知装置の他のシステム構成図である。
【図１１】本発明の第二実施形態を示す点滴異常報知装置の斜視図である。
【図１２】本発明の第二実施形態の他の実施例を示す点滴異常報知装置の斜視図である。
【図１３】本発明の第二実施形態を示す点滴異常報知装置のシステム構成図である。
【図１４】本発明の第二実施形態を示す点滴異常報知装置の他の斜視図である。
【図１５】本発明の第二実施形態を示す点滴異常報知装置の他のシステム構成図である。
【図１６】本発明の他の実施形態を示す保持帯の斜視図である。
【図１７】本発明の他の実施形態を示す保持帯の斜視図である。
【図１８】本発明の他の実施形態を示すホルダーの側面断面図である。
【図１９】本発明の他の実施形態を示すホルダーの側面断面図である。
【発明を実施するための形態】
【００２７】
以下、本発明について図面に基づき詳細に説明する。図１において、点滴異常報知装置は保持帯１０、コンソール２０および信号送信手段５０である接続ケーブルから構成されている。前記保持帯１０には、点滴用チューブＣの先端部に取り付けられた点滴針（図示しない）を、手（本発明では、肩から指先までを手という）や足（本発明では、腿部から足先までを足という）の部位に挿入する際に、該部位の近傍に巻着して点滴用チューブＣを保持するための柔軟性を有するベルト１１が形成されている。ベルト１１は天然素材または天然繊維、化学繊維あるいは合成樹脂等を用いて長尺状に形成されており、ベルト１１の長手方向（手足に巻着する方向）の両端部にはベルト１１を巻着状態で保持する係止手段１２として面ファスナが設けられている。なお、係止手段１２は面ファスナに限定されるものではなく、ボタン、ホックまたは紐状体等を用いることができる。
【００２８】
前記ベルト１１の長手方向の一端部近傍には磁石（マグネット）１３が取付けられており、他の端部近傍には前記磁石１３に近接すると閉状態（ＯＮ）となるリードスイッチ１４が取付けられている。リードスイッチとは、例えば、２本の強磁性体リードが適当な接点距離で相対した状態でガラス管に封入されたものであり、外部からリードの軸方向に磁界が印加されると、リードが磁化して相対している接点が引き合い、接触して回路が閉じる。外部の磁界を消せば、リードの弾性により接点は元の位置に戻り回路は開状態（ＯＦＦ）になる。このように、リードスイッチ１４はセンサとして使用可能であり、本発明ではベルト１１を巻着保持する係止手段１２が外れたときに作動するセンサとして用いている。
【００２９】
図３〜図５は、ホルダーとベース基板の構造および取付関係を示したものである。図３〜図４において、ホルダー３０は、略四辺形のホルダー本体３１の下面部に強磁性体３２（鉄、ニッケル、コバルトおよびその合金など）が固着されており、上面部には点滴用チューブＣを着脱自在に挟持するクランプ３３が取付けられている。クランプ３３は、点滴用チューブＣを挟持するための凹部３４が設けられた上部アーム３５が、支軸３７によりホルダー本体３１に取付けられている。
【００３０】
凹部３４が形成された側とは反対側の端部の上部アーム３５の下面とホルダー本体３１の上面との間には、上部アーム３５とホルダー本体３１の凹部３４が、常時、閉となる方向にバネ３８で負勢されている。したがって、図４に示す上部アーム３５の端部を指等で矢印方向に押下げると、バネ３８が圧縮されて凹部３４が開口し、指等を除くと凹部３４が閉状態となる。点滴用チューブＣを取付けるときは、上部アーム３５の端部を矢印方向に押下げた状態で、点滴用チューブＣを凹部３４に沿って載置したまま指等を除くと、バネ３８の負勢により点滴用チューブＣがホルダー３０に挟持される。なお、前記バネ３８はコイルバネ、皿バネまたは板バネ等を用いることができる。
【００３１】
図５は図４のＡ−Ａ断面図である。図５において、ベース基板４０は、ホルダー３０を磁着可能な面積を有する略四辺形の凹面部４１が上面に形成されており、下面はベルト１１を貫通して固定する機械的連結手段、例えば、ビス４２によりベルト１１に固定されている。ベース基板４０には、ホルダー３０を磁着するための磁石（マグネット）４３とタクティールスイッチ４４が設けられている。磁石４３はベース基板４０の凹面部４１表面または近傍に設けるが、その形状は円形や方形としてもよく、１個〜複数個を適宜配置することも可能である。タクティールスイッチ４４は様々な形式のものを使用できるが、本発明では上部に押しボタンが設けられたワンプッシュ式を用いており、ホルダー３０の下面部が押しボタンを押下げると閉状態（ＯＮ）になり、ホルダー３０の下面部が除かれると開状態（ＯＦＦ）に復帰する。このように、タクティールスイッチ４４はセンサとして使用することが可能であり、本発明では前記ベース基板４０に磁着されたホルダー３０が外れたとき作動するセンサとして用いている。
【００３２】
図１において、前記ベルト１１の内面側１５（皮膚と接する側）は、患者の手足に対する圧迫感や皮膚を保護するために、刺激性の少ない布状部材で被覆されている。例えば、スポンジ、不織布、フエルト、ガーゼ等の部材を用いることができる。また、前記部材の表面を天然繊維や化学繊維で被覆してもよい。なお、ベルト外表面および内表面は、薬液や体液等が付着しやすいので、撥水性または疎水性のある部材や繊維を用いるか、あるいは撥水加工をすることが望ましい。
【００３３】
図１において、コンソール２０は略方形の筐体であり、上面部には輸液スタンド（図示しない）に吊下するフック等の係止部２１と無線送信アンテナ２２が立設されており、前面部にはポーズスイッチの押しボタン２３が設けられている。下面部にはセンサからの信号を伝送する信号送信手段５０である接続ケーブルのプラグ挿入ジャック２４ａ、ナースコールケーブルのプラグ挿入ジャック２４ｂ、およびナースコースシステムに信号伝送する信号ケーブルのプラグ挿入ジャック２４ｃが夫々設けられている。なお、これらの配置は実施形態の一例を示したものであり、適宜配置変更することができる。
【００３４】
図２において、点滴異常報知装置はコードレス保持帯１０ａとコンソール２０ａから構成されている。コードレス保持帯１０ａには、コンソール２０ａに信号を送信するための信号送信手段である無線送信器４５が設けられている。コンソール２０ａは略方形の筐体であり、上面部には輸液スタンド（図示しない）に吊下するフック等の係止部２１と無線送信アンテナ２２が立設されており、前面部にはポーズスイッチの押しボタン２３が設けられている。下面部にはナースコールケーブルのプラグ挿入ジャック２４ｂ、およびナースコースシステムに信号伝送する信号ケーブルのプラグ挿入ジャック２４ｃが夫々設けられている。なお、上記以外の構造や機能については図１、図３〜図５と同様であるため説明を省略する。
【００３５】
図６において、ベース基板４０ａは、断面Ｈ型のブロック体であり、上面には前記ホルダー３０を磁着可能な面積を有する略四辺形の凹面部が形成されており、下端部はベルト１１を貫通して固定する機械的連結手段、例えば、ビス４２によりベルト１１に固定されている。ベース基板４０ａには、ホルダー３０を磁着するための磁石（マグネット）４３とタクティールスイッチ４４が設けられている。磁石４３はベース基板４０ａの凹面部の表面または近傍に設けるが、その形状は円形や方形としてもよく、１個〜複数個を適宜配置することも可能である。また、ベース基板４０ａの下面凹部の空間部分には、タクティールスイッチ４４に接続された無線送信器４５および電源となるボタン電池４６が設けられている。
【００３６】
以下、コードレス保持帯１０ａの作用について説明する。図７ａはコードレス保持帯１０ａを患者の手足部に装着した状態を示したもので、図７ｂはホルダー３０が外れてタクティールスイッチ４４が開状態（ＯＦＦ）となった状態を示したものである。１４はリードスイッチ、４４はタクティールスイッチ、８０はＩＮＶ回路、８１は送信回路、８２は送信アンテナ、４６はボタン電池である。
【００３７】
図７ａに示すように、リードスイッチ１４およびタクティールスイッチ４４は、コードレス保持帯１０ａを患者の手部または足部に装着した時点で閉状態（ＯＮ）になる。このとき、ＩＮＶ回路のスイッチは開状態（ＯＦＦ）となっている。
【００３８】
図７ｂに示すように、ホルダー３０がベース基板４０ａから外れると、タクティールスイッチ４４を押圧している荷重が無くなるのでタクティールスイッチ４４は開状態（ＯＦＦ）となる。なお、図示していないが、コードレス保持帯１０ａのベルト１１に設けられた係止手段１２が外れた場合も、リードスイッチ１４から磁界が消えるのでリードスイッチ１４は開状態（ＯＦＦ）となる。
【００３９】
ＩＮＶ回路８０は信号反転回路としており、タクティールスイッチ４４（またはリードスイッチ１４）が開状態（ＯＦＦ）になると、ＩＮＶ回路８０が作動して内部スイッチが閉状態（ＯＮ）になる。ただし、信号反転は時限的なものであり、例えば１秒間である。
【００４０】
ＩＮＶ回路８０の内部スイッチが閉状態（ＯＮ）になると、ＩＮＶ回路８０に接続されている送信回路８１が作動して、無線信号が送信アンテナ８２からコンソール２０ａの受信器５３に送信される。
【００４１】
図８において、１４、４４は保持帯に取り付けられたリードスイッチ、タクティールスイッチで構成されているセンサ、２０はコンソール（破線の範囲内）、５０は信号送信手段５０である接続ケーブル、Ｈは携帯型受信器、Ｎはナースコールシステム、５１は信号ケーブル、５２はナースコールケーブルである。リードスイッチで構成されているセンサとタクティールスイッチで構成されているセンサは、それぞれが独立して作動し、信号送信手段５０の接続ケーブルを通じて信号がコンソール２０の受信器５３に送信される。
【００４２】
コンソール２０は、各センサからの信号を受信する受信器５３、受信信号を離れた場所に位置する携帯型受信器Ｈに報知信号として送信する送信器５４、報知信号をナース信号と切替変換する中継器５７、報知信号を一時的に保留するポーズスイッチ５５、報知器５９およびシーケンス制御をする制御部５６で構成されている。
【００４３】
図９において、コンソール２０に組込まれている中継器５７は、ナースコールスイッチからのナースコール接点６１（ａ接点）とセンサからの信号接点６２（ｂ接点）をそれぞれナースコールケーブル５２と接続ケーブル５０で入力し、両接点を切替接続して１本の信号ケーブル５１として出力する。また、該信号ケーブル５１の先端にプラグを接続し、該プラグを既設のナースコールケーブルが接続されていたジャックに挿入することにより、ナースコールスイッチを押した場合や点滴異常が発生した場合のどちらの場合でもナースコールを行うことができる。
【００４４】
図１０は、コンソール２０ｂに中継器５７を設けない構成を示したものである。図１０において、１４、４４は保持帯に取り付けられたリードスイッチ、テクティールスイッチで構成されているセンサ、２０ｂはコンソール（破線の範囲内）、５０は信号送信手段としての接続ケーブル、Ｈは携帯型受信器である。リードスイッチで構成されているセンサとタクティールスイッチで構成されているセンサは、それぞれが独立して作動し、信号送信手段５０である接続ケーブルを通じて信号がコンソール２０ｂの受信器５３に送信される。コンソール２０ｂは、各センサからの信号を受信する受信器５３、受信信号を離れた場所に位置する携帯型受信器Ｈに報知信号として送信する送信器５４、報知信号を一時的に保留するポーズスイッチ５５、報知器５９およびシーケンス制御をする制御部５６で構成されている。
【００４５】
図１１は、点滴所要時間を任意に設定することができる時間設定手段が付加された点滴異常報知装置の斜視図である。なお、点滴異常報知機能および構成については、図１〜図１０に基づいて説明済のため省略する。図１１において、コンソール２０ｃは略方形の筐体であり、上面部には輸液スタンド（図示しない）に吊下するフック等の係止部２１と無線送信アンテナ２２が立設されている。コンソール２０ｃの前面上半部には、設定時間が修了（タイムアップ）したことを示すアラーム表示器２５（例えば、ランプ、ＬＥＤ等）、コンソール２０ｃの電源オン・オフ表示器２６ａ（例えば、ランプ、ＬＥＤ等）、時間設定後に設定時間のカウントダウンをスタートまたはストップさせるスタート・ストップスイッチ２３ａが設けられている。
【００４６】
コンソール２０ｃの前面下半部には、時間設定をするための４桁からなる時間表示器２７が設けられており、右端（図１１において右側端）は「分」の文字が常時表示されており、その左側の３桁（右側から２桁目〜４桁目）は時間設定をすることにより０〜９の数字が７セグメントＬＥＤで表示される。即ち、設定時間は３桁からなる「分」で表示され、例えば、図１１は設定時間が１２０分であることを示している。時間表示器２７の右側から３桁目および４桁目の上部には、時間設定アップボタン２８ａ、下部には、時間設定ダウンボタン２８ｂが夫々設けられており、時間設定アップボタン２８ａを押す度に、枠内の数字が大きくなり（例えば、１から２に）、時間設定ダウンボタン２８ｂを押す度に、枠内の数字が小さくなる（例えば、２から１に）。
【００４７】
なお、図１１では、右側から２桁目の表示枠の上部および下部に前記ボタン２８ａ、２８ｂが設けられていないが、前記ボタン２８ａ、２８ｂを設けて０〜９を表示させることは当然可能である。また、時間設定アップボタン２８ａの表示を▽から＋に、時間設定ダウンボタン２８ｂの表示を△から−に変更してもよい。さらに、前記各表示器２５、２６ａ、２７およびボタン２８ａ、２８ｂの配置は、図１１の記載に限定されるものではなく、適宜変更することができる。
【００４８】
コンソール２０ｃの側面には、コンソール２０ｃの電源をオンまたはオフするための電源オン・オフスイッチ２６ｂと、コンソール２０ｃに電源を供給するＡＣアダプター２９ｂを差し込むＡＣアダプタージャック２９ａが設けられている。なお、コンソール２０ｃの電源としてＡＣアダプター２９ｂに代えて、電池を用いることも可能である。コンソール２０ｃの下面部にはセンサ１４，４４からの信号を伝送する接続ケーブル５０のプラグ挿入ジャック２４ａ、ナースコールケーブル５２のプラグ挿入ジャック２４ｂ、およびナースコースシステムに信号伝送する信号ケーブル５１のプラグ挿入ジャック２４ｃが夫々設けられている。なお、前記したこれらの配置は実施形態の一例を示したものであり、適宜配置変更することができる。
【００４９】
図１２は、信号送信手段５０が，接続ケーブルに代えて、コードレス保持帯１０ｂに無線送信器４５を設けたものであり、信号送信手段５０が接続ケーブルから無線送信器４５に代わった以外は図１１に示すものと同一であるから、詳細な説明は省略する。
【００５０】
図１３において、コンソール２０ｃは、各センサ１４，４４からの信号を受信する受信器５３、受信信号を離れた場所に位置する各受信器Ｈ１、Ｈ２、Ｈ３に報知信号として送信する送信器５４、報知信号をナース信号と切替変換する中継器５７、報知信号を一時的に保留するポーズスイッチ５５、報知器５９およびこれらの機器をシーケンス制御する制御部５６ｂで構成されている。
【００５１】
前記制御部５６ｂは、前記シーケンス制御に加えて、電源オン・オフスイッチ２６ａ、設定時間をカウントダウンするスタート・ストップスイッチ２６ｂ、設定時間が終了したことを示すアラーム表示器２５、設定時間を表示する時間表示器２７、および設定時間を設定する時間設定器２８ａ、２８ｂを夫々制御する。
【００５２】
図１４は、点滴所要時間を任意に設定することができる時間設定手段が付加された点滴異常報知装置の他の実施形態を示す斜視図である。図１４において、コンソール２０ｅは略方形の筐体であり、上面部には輸液スタンド（図示しない）に吊下するフック等の係止部２１と無線送信アンテナ２２が立設されている。コンソール２０ｅの前面上半部には、設定時間が修了（タイムアップ）したことを示すアラーム表示器２５（例えば、ランプ、ＬＥＤ等）、コンソール２０ｅの電源がオンまたはオフかを表示する電源オン・オフ表示器２６ａ（例えば、ランプ、ＬＥＤ等）、時間設定後に設定時間のカウントダウンをスタートまたはストップさせるスタート・ストップスイッチ２３ａが設けられている。
【００５３】
コンソール２０ｅの前面下半部には、時間設定をするための４桁からなる時間表示器２７が設けられており、右端（図１４において右側端）は「分」の文字が常時表示されており、その左側の３桁（右側から２桁目〜４桁目）は時間設定をすることにより０〜９の数字が７セグメントＬＥＤで表示される。即ち、設定時間は３桁からなる「分」で表示され、例えば、図１４は設定時間が１２０分であることを示している。時間表示枠器２７の右側から３桁目および４桁目の上部には、時間設定アップボタン２８ａが、下部には、時間設定ダウンボタン２８ｂが夫々設けられており、時間設定アップボタン２８ａを押す度に、数字が大きくなり（例えば、１から２に）、時間設定ダウンボタン２８ｂを押す度に、数字が小さくなる（例えば、２から１に）。
【００５４】
なお、図１４では、右側から２桁目の表示枠の上部および下部に前記ボタン２８ａ、２８ｂが設けられていないが、前記ボタン２８ａ、２８ｂを設けて０〜９を表示することは当然可能である。また、時間設定アップボタン２８ａの表示を▽から＋に、時間設定ダウンボタン２８ｂの表示を△から−に変更してもよい。さらに、前記各表示器２５、２６ａ、２７およびボタン２８ａ、２８ｂの配置は、図１４の記載に限定されるものではなく、適宜変更することができる。
【００５５】
コンソール２０ｅの側面には、コンソール２０ｅの電源をオン・オフするための電源オン・オフスイッチ２６ｂと、コンソール２０ｅに電源を供給するＡＣアダプター２９ｂを差し込むＡＣアダプタージャック２９ａが設けられている。なお、コンソール２０ｅの電源としてＡＣアダプター２９ｂに代えて、電池を用いることも可能である。
【００５６】
コンソール２０ｅから離れた位置には、必要に応じて中継器（リピータ）７０を設置することができる。中継器７０は、コンソール２０ｅから無線発信された電波をより広範囲に送信するために設けられたものである。中継器７０の第１のメリットは飛距離を伸ばすことができることで、理論的にカバー範囲（飛距離）は２倍となる。第２のメリットは混信対策であり、他者が所持している携帯電話等の受信器に影響されない安定した動作（通話環境）をつくるために、中継器７０に対応できる受信器Ｈ１、Ｈ２、Ｈ３を特定することで、広い範囲で安定した通話環境を得たい場合に有効となるのが中継器７０である。
【００５７】
中継器７０は略方形の筐体であり、上面部には任意場所に吊下するフック等の係止部２１と、コンソール２０ｅから発信された信号を受信する受信アンテナ７１および該受信信号を携帯型の受信器Ｈ１、Ｈ２、Ｈ３に送信する送信アンテナ７２が立設されている。なお、前記送信アンテナ７２の基端を側面上部に設けて立設させてもよい。中継器７０の前面上半部には、設定時間が修了（タイムアップ）したことを示すアラーム表示器７３（例えば、ランプ、ＬＥＤ等）と中継器７０の電源がオンまたはオフかを表示する電源オン・オフ表示器７４ａ（例えば、ランプ、ＬＥＤ等）が設けられている。中継器７０の側面には、中継器７０に電源を供給するＡＣアダプター７５ｂを差し込むＡＣアダプタージャック７５ａが設けられている。
【００５８】
図１５は、コンソール２０ｅに組み込まれている中継器５７を除いた構成としたものである。図１５において、１４、４４は保持帯に取り付けられたリードスイッチ、テクティールスイッチで構成されているセンサ、２０ｅはコンソール（破線の範囲内）、５０は信号送信手段、Ｈ１はハイパー受信器、Ｈ２はポータブル受信器（ＰＨＳ型）、Ｈ３はポータブル受信器（腕時計型）である。リードスイッチで構成されているセンサ１４とタクティールスイッチで構成されているセンサ４４は、それぞれが独立して作動し、接続ケーブル５０を通じて信号がコンソール２０ｅの受信器５３に送信される。
【００５９】
コンソール２０ｅは、各センサ１４、４４からの信号を受信する受信器５３、受信信号を離れた場所に位置する各受信器Ｈ１、Ｈ２、Ｈ３に報知信号として送信する送信器５４、報知信号を一時的に保留するポーズスイッチ５５、報知器５９および前記機器をシーケンス制御する制御部５６ｃで構成されている。前記制御部５６ｃは、前記シーケンス制御に加えて設定時間をカウントダウンするスタート・ストップスイッチ２６ｂ、設定時間が終了したことを示すアラーム表示器２５、設定時間を表示する時間表示器２７および時間を設定する時間設定器２８ａ、２８ｂを夫々制御する。
【００６０】
以下、時間設定の操作例について図１１および図１３を参照して詳細に説明する。
１．コンソール２０ｃの側面に設けられている電源オン・オフスイッチ２６ｂをオンにすると、電源オン・オフ表示器２６ａが点灯する。
２．時間表示器２７の数字（デフォルト値は０００分）を確認した後、右側から３桁目および４桁目の上下部に設けられている時間設定ボタン２８ａ、２８ｂを所定回数押して所望時間を設定する。例えば、１２０分に時間設定する場合は、３桁目上部のボタン２８ａを２回押すと数字の２が表示される。次に、４桁目上部のボタン２８ａを１回押すと数字の１が表示される。これにより時間表示器２７には１２０分が７セグメントＬＥＤ表示される。
３．時間表示器２７に表示された時間を確認後、コンソール２０ｃの前面の上半部に設けられているスタート・ストップスイッチ２３ａを押すと、タイマーが作動して時間表示器２７の数字のカウントダウンが始まる。例えば、１２０→１１９→１１８・・・０００。
４．時間表示器２７の数字が０００分になると、アラーム表示器２５が点灯（または点滅）するとともに、報知器５９から音、音楽または音声で報知される。さらに、制御部５６ｂからタイムアップしたことを知らせる信号が送信器５４に送られる。
５．送信器５４は、上記信号をハイパー受信器Ｈ１，ポータブル受信器（ＰＨＳ型）Ｈ２およびポータブル受信器Ｈ３（腕時計型）に無線送信する。
【００６１】
上記操作によれば、点滴の種類、量および滴下速度の相違により患者に最適な点滴時間を、時間設定ボタン２８ａ、２８ｂで任意に設定することができる。また、設定した時間は、時間表示器に数字が７セグメントＬＥＤ表示されており、スタート・ストップスイッチ２３ａを押すとタイマーが作動して数字がカウントダウンする。これにより点滴残時間
を常時確認することができるので、患者等の精神的、肉体的負担を軽減することが可能となる。点滴中に何らかの理由で点滴を一時中止させたいときは、スタート・ストップスイッチ２３ａを押すとタイマーを一時停止させることができ、再スタートさせるには、スタート・ストップスイッチ２３ａを押せばよい。すなわち、スタート・ストップスイッチ２３ａは押す毎にスタートとストップを繰り返すように構成されている。
【００６２】
タイマーが作動中であることを確認する手段としては、電源オン・オフ表示器２６ａを点滅させることも可能である。また、タイマー不使用時は時間表示器２７を消灯させ、タイマー使用時は時間表示器２７に数字を表示させる構成としてもよい。
【００６３】
図１６において、保持帯１０ｂには、点滴用チューブＣの先端部に取り付けられた点滴針（図示しない）を、手足の部位に挿入する際に、該部位の近傍に巻着して、点滴用チューブＣを保持するベルト１１ａが形成されている。該ベルト１１ａは合成樹脂等を用いて手足の断面外形に沿うように略円または楕円形に形成されており、ベルト１１ａの長手方向（手足に巻着する方向）の略中央部（ホルダーの磁着位置と略対向する位置近傍）は拡開可能な蝶番１６で接続されている。また、ベルト１１ａの一端部にはベルト１１ａの巻着状態を保持する係止手段として、表面にラック（鋸歯状の戻り防止片）が形成されたラックベルト１７を設け、他の端部には前記ラックベルト１７を挿入する挿入溝１８が設けられている。
【００６４】
ラックベルト１７を選択的に移動抑制する手段として、前記挿入溝１８の内部にラチェット（図示しない）が揺動自在に取付けられており、リリースボタン１９を押下げるとラックベルト１７は挿入溝１８より引き出すことができる。リリースボタン１９を押下げない状態ではラチェットがラックベルト１７の移動を抑制するので、一方向にのみ送り移動が可能となり、挿入溝１８の方向には進むが、挿入溝１８から引き出すことはできない。なお、リードスイッチ、タクティールスイッチおよびホルダーの構造ならびに取り付け方法については、前述の実施形態と略同一であるため説明は省略する。また、前記ベルトの内面側１５（皮膚と接する側）は、患者の手足に対する圧迫感や皮膚を保護するために、刺激性の少ない布状部材で被覆することが望ましい。
【００６５】
図１７は、信号送信手段が接続ケーブルに代えて、コードレス保持帯１０ｃに無線送信器を設けたものであり、信号送信手段を接続ケーブルから無線送信器に代えた以外は図１６に示すものと同一であるから、詳細な説明は省略する。
【００６６】
図１８は、ホルダーの上部に設けられたクランプ３３ａにおいて、点滴用チューブＣを挟持する上部アーム３５ａの凹部３４ａを中心部に配置し、支軸３７ａを端部に設けたものである。なお、ホルダーとベース基板の構造および作用については前述した実施形態と略同一であるため説明は省略する。
【００６７】
図１９において、ホルダー本体３１ｂとクランプ３３ｂが紐等３９により接続された構成としている。ホルダーは、略四辺形のホルダー本体３１ｂの全面が合成樹脂で被覆されており、その内部に強磁性体（鉄、ニッケル、コバルトおよびその合金など）が設けられている。ホルダー本体３１ｂの上面部とクランプ３３ｂの端部は紐等３９で連結されているので、クランプ３３ｂを紐等３９の長さを超えて引っ張ると、ベース基板４０ｂに磁着されているホルダー本体３１ｂがベース基板４０ｂより離れて、テクティールスイッチが開状態（ＯＦＦ）となり報知信号が送信される。なお、紐等３９は所望長さに設定することができる。
【００６８】
図１〜図１８に示す実施形態は、ホルダーは保持帯に設けられたベース基板の上面部に磁着されているので、点滴針を挿入する手足の部位によっては、点滴用チューブの適切な固定が難しいことがある。そこで、クランプ３３ｂとホルダー本体３１ｂを紐等３９で接続することにより、ホルダーから離間したクランプ３３ｂに挟持された点滴用チューブＣの近傍を、医療用テープ等で固定することにより、この問題点を解決することができる。
【産業上の利用可能性】
【００６９】
本発明は、患者等に点滴を行う場合において、点滴針が抜けたり点滴用チューブが外れたりしたときに、点滴が異常であるとして離れた場所に点滴異常を報知する点滴異常報知装置であり、操作が極めて簡単であるため病院、医療施設または家庭などにおいて、広く利用することができる。
【符号の説明】
【００７０】
１０、１０ｂ  保持帯
１０ａ、１０ｃ  コードレス保持帯
１１、１１ａ  ベルト
１２  係止手段
１３、４３  磁石（マグネッット）
１４  リードスイッチ（センサ）
１５  内面側
１６  蝶番
１７  ラックベルト
１８  挿入溝
１９  リリースボタン
２０、２０ａ、２０ｂ、２０ｃ、２０ｄ、２０ｅ  コンソール
２１  係止部
２２  無線送信アンテナ
２３  押しボタン
２３ａ  スタート・ストップスイッチ
２４ａ、２４ｂ、２４ｃ  プラグ挿入ジャック
２５  アラーム表示器
２６ａ  電源オン・オフ表示器
２６ｂ  電源オン・オフスイッチ
２７  時間表示器
２８ａ  時間設定アップボタン（時間設定器）
２８ｂ  時間設定ダウンボタン（時間設定器）
２９ａ  ＡＣアダプタージャック
２９ｂ  ＡＣアダプター
３０  ホルダー
３１，３１ｂ  ホルダー本体
３２  強磁性体
３３、３３ａ、３３ｂ  クランプ
３４、３４ａ  凹部
３５，３５ａ  上部アーム
３７、３７ａ  支軸
３８  バネ
３９  紐等
４０，４０ａ  ベース基板
４１  凹面部
４２  ビス
４４  タクティールスイッチ（センサ）
４５  無線送信器
４６  ボタン電池（電源）
５０  信号送信手段
５１  信号ケーブル
５２  ナースコールケーブル
５３  受信器
５４  送信器
５５  ポーズスイッチ
５６、５６ｂ、５６ｃ  制御部
５７  中継器
５８  ナースコールスイッチ
５９  報知器
６０  報知信号ケーブル
６１  ナースコール接点（ａ接点）
６２  報知信号接点（ｂ接点）
７０  中継器（リピータ）
７１  受信アンテナ
７２  送信アンテナ
７３  アラーム表示器
７４ａ  電源オン・オフ表示器
７４ｂ  電源オン・オフスイッチ
７５ａ  ＡＣアダプタージャック
７５ｂ  ＡＣアダプター
８０  ＩＮＶ回路
８１  送信回路
８２  送信アンテナ
Ｃ  点滴用チューブ
Ｈ  携帯型受信器
Ｈ１  ハイパー受信器
Ｈ２  ポータブル受信器（ＰＨＳ型）
Ｈ３  ポータブル受信器（腕時計型）
Ｎ  ナースコールシステム
【図１】
2011183140.tif 000003
【図２】
2011183140.tif 000004
【図３】
2011183140.tif 000005
【図４】
2011183140.tif 000006
【図５】
2011183140.tif 000007
【図６】
2011183140.tif 000008
【図７】
2011183140.tif 000009
【図８】
2011183140.tif 000010
【図９】
2011183140.tif 000011
【図１０】
2011183140.tif 000012
【図１１】
2011183140.tif 000013
【図１２】
2011183140.tif 000014
【図１３】
2011183140.tif 000015
【図１４】
2011183140.tif 000016
【図１５】
2011183140.tif 000017
【図１６】
2011183140.tif 000018
【図１７】
2011183140.tif 000019
【図１８】
2011183140.tif 000020
【図１９】
2011183140.tif 000021